(57)【要約】（課題）  衣類や荷物を吊掛して保持させることができるとともに、鞄内に収納することができる吊掛部を有する鞄の提供。（解決手段）  衣類等の物品を吊り掛けるための吊掛部１２を有する鞄であって、前記吊掛部１２は、前記鞄１１内に収納されるか若しくは該鞄１１の表面に装着されるとともに、使用時に於いて前記鞄上面１３の長手方向端部から該長手方向に沿って延出可能とされていることを特徴とする。（選択図）  図１【特許請求の範囲】
【請求項１】
衣類等の物品を吊り掛けるための吊掛部１２を有する鞄であって、
前記吊掛部１２は、前記鞄１１内に収納されるか若しくは該鞄１１の表面に装着されるとともに、使用時に於いて前記鞄上面１３の長手方向端部から該長手方向に沿って延出可能とされていることを特徴とする吊掛部を有する鞄。
【請求項２】
前記吊掛部１２が、前記鞄１１内に収容され、前記長手方向に沿うスライド操作によって前記端部から延出することを特徴とする請求項１記載の吊掛部を有する鞄。
【請求項３】
前記吊掛部１２が、前記鞄１１の前記上面１３の裏側に設けられていることを特徴とする請求項２記載の吊掛部を有する鞄。
【請求項４】
前記吊掛部１２が、前記鞄１１からの延出長さを任意に調整して係止する係止部１４を有することを特徴とする請求項２又は３に記載の吊掛部を有する鞄。
【請求項５】
前記吊掛部２２が、前記鞄２１の側面２４に装着され、該吊掛部２２の上端部を支点として上方に回動可能とされていることを特徴とする請求項１記載の吊掛部を有する鞄。
【請求項６】
前記吊掛部３２が、前記鞄３１の上面３４の裏側に装着され、該吊掛部３２が該上面３４と平行な面内に回動可能に軸着されていることを特徴とする請求項１記載の吊掛部を有する鞄。
【請求項７】
前記吊掛部２２が、前記鞄２１の上面２４と面一となる位置で固定される固定部２６が設けられていることを特徴とする請求項５又は６に記載の吊掛部を有する鞄。
【請求項８】
前記吊掛部３２、４２が、前記鞄３１、４１と着脱自在であり、該鞄の上面３３、４３と固定される固定機構を有していることを特徴とする請求項１記載の吊掛部を有する鞄。
【請求項９】
前記吊掛部３２の固定機構が、前記鞄３１の上面３３を挟持するための挟持部３４であることを特徴とする請求項８記載の吊掛部を有する鞄。
【請求項１０】
前記挟持部３４が、前記吊掛部３２の一端を折り返して形成されていることを特徴とする請求項９記載の吊掛部を有する鞄。
【請求項１１】
前記吊掛部４２の固定機構が、前記鞄４１の把手部４４を嵌合するための切り欠き部４５を有することを特徴とすることを特徴とする請求項８記載の吊掛部を有する鞄。
【請求項１２】
前記吊掛部１２、２２、３２、４２は、この吊掛部の周縁部を被覆する滑止部１５が設けられていることを特徴とする請求項１乃至１１いずれかに記載の吊掛部を有する鞄。
【請求項１３】
前記吊掛部１２、２２、３２、４２は、この吊掛部の各隅部１６が湾曲して形成され、該隅部１６を除く該吊掛部の周縁部を被覆する滑止部１５が設けられていることを特徴とする請求項１乃至１１いずれかに記載の吊掛部を有する鞄。
【請求項１４】
前記吊掛部１２、２２、３２、４２は、該吊掛部の表面全体を被覆する滑止部１５が設けられていることを特徴とする請求項１乃至１１いずれかに記載の吊掛部を有する鞄。
【請求項１５】
前記鞄１、２、３、４の側面下方には、前記吊掛部該吊掛部に吊り掛けられた被吊掛物を下方より支持する支持部１７が設けられていることを特徴とする請求項１乃至１４いずれかに記載の吊掛部を有する鞄。
【発明の詳細な説明】
【技術分野】
【０００１】
本発明は、吊掛部を有する鞄に関し、より詳しくは、衣類や荷物を吊掛して保持させることができるとともに、鞄内に収納することができる吊掛部を有する鞄に関する。
【背景技術】
【０００２】
通常、サラリーマンやビジネスマンは、背広を着たままで行動することが要求される。しかしながら、夏季にはその気温の高さから背広を脱いで、手で保持したり、腕に挟み込んだりして背広を持ち歩く場合が常であった。
このように背広を手で保持したり腕に挟み込んだりした場合には、背広がしわにならないように注意していても、知らず知らずのうちにしわになってしまうことが多々あった。また、手や腕で保持するため、背広に保持者の汗が付着して湿って汚れてしまうことがあった。【０００３】
上記する如き問題点を解決するために、特許文献１や特許文献２に記載される背広を保持することのできる保持部を有する鞄が創出されている。
特許文献１に記載される鞄は、鞄の裏面に鞄の左右両端近傍の長さを有するハンガー具が設けられ、このハンガー具に背広を掛けることができるようにした発明である。また、特許文献２に記載される鞄は、鞄の上面に大型の吊手と上着押さえバンドを設けることによって、鞄の上面をハンガー部として利用することができるようにした発明である。これら特許文献１及び２に記載される鞄を利用することによって、背広を手や腕で直接保持する必要がなくなり上記する問題点を解決することができた。
しかしながら、これら特許文献１及び２に記載される鞄では、手や腕で直接保持することがなくなり、使用者の汗や皮脂等による汚れを防止することはできるが、実際に使用した場合には、使用者の足と背広が接触して、背広がしわになる問題点を有していた。
このため、特許文献１及び２に開示される鞄を使用しても、背広にしわが生じることを防止するには至らなかった。【０００４】
また、これら特許文献１及び２に開示される鞄は、背広等の衣類を掛けることを目的とした鞄であり、手や腕により保持される他の荷物を吊掛して保持させるような場合には好適に使用することができない問題点を有していた。【０００５】
【特許文献１】特開平１１−２１６００９号公報
【特許文献２】特開２０００−１０２４１０号公報
【発明の開示】
【発明が解決しようとする課題】
【０００６】
本発明は、このような実情に鑑みてなされたもので、衣類や荷物を吊掛して保持させることができるとともに、鞄内に収納することができる吊掛部を有する鞄を提供する。
【課題を解決するための手段】
【０００７】
請求項１記載の発明は、衣類等の物品を吊り掛けるための吊掛部１２を有する鞄であって、前記吊掛部１２は、前記鞄１１内に収納されるか若しくは該鞄１１の表面に装着されるとともに、使用時に於いて前記鞄上面１３の長手方向端部から該長手方向に沿って延出可能とされていることを特徴とする吊掛部を有する鞄を提供する。
請求項２記載の発明は、前記吊掛部１２が、前記鞄１１内に収容され、前記長手方向に沿うスライド操作によって前記端部から延出することを特徴とする請求項１記載の吊掛部を有する鞄を提供する。
請求項３記載の発明は、前記吊掛部１２が、前記鞄１１の前記上面１３の裏側に設けられていることを特徴とする請求項２記載の吊掛部を有する鞄を提供する。
請求項４記載の発明は、前記吊掛部１２が、前記鞄１１からの延出長さを任意に調整して係止する係止部１４を有することを特徴とする請求項２又は３に記載の吊掛部を有する鞄を提供する。【０００８】
請求項５記載の発明は、前記吊掛部２２が、前記鞄２１の側面２４に装着され、該吊掛部２２の上端部を支点として上方に回動可能とされていることを特徴とする請求項１記載の吊掛部を有する鞄を提供する。
請求項６記載の発明は、前記吊掛部３２が、前記鞄３１の上面３４の裏側に装着され、該吊掛部３２が該上面３４と平行な面内に回動可能に軸着されていることを特徴とする請求項１記載の吊掛部を有する鞄を提供する。
請求項７記載の発明は、前記吊掛部２２、３２が、前記鞄２１，３１の上面２４、３４と面一となる位置で固定される固定部２６、３６が設けられていることを特徴とする請求項５又は６に記載の吊掛部を有する鞄を提供する。【０００９】
請求項８記載の発明は、前記吊掛部３２、４２が、前記鞄３１、４１と着脱自在であり、該鞄の上面３３、４３と固定される固定機構を有していることを特徴とする請求項１記載の吊掛部を有する鞄を提供する。
請求項９記載の発明は、前記吊掛部３２の固定機構が、前記鞄３１の上面３３を挟持するための挟持部３４であることを特徴とする請求項８記載の吊掛部を有する鞄を提供する。
請求項１０記載の発明は、前記挟持部３４が、前記吊掛部３２の一端を折り返して形成されていることを特徴とする請求項９記載の吊掛部を有する鞄を提供する。
請求項１１記載の発明は、前記吊掛部４２の固定機構が、前記鞄４１の把手部４４を嵌合するための切り欠き部４５を有することを特徴とすることを特徴とする請求項８記載の吊掛部を有する鞄を提供する。【００１０】
請求項１２記載の発明は、前記吊掛部１２、２２、３２、４２は、この吊掛部の周縁部を被覆する滑止部１５が設けられていることを特徴とする請求項１乃至１１いずれかに記載の吊掛部を有する鞄を提供する。
請求項１３記載の発明は、前記吊掛部１２、２２、３２、４２は、この吊掛部の各隅部１６が湾曲して形成され、該隅部１６を除く該吊掛部の周縁部を被覆する滑止部１５が設けられていることを特徴とする請求項１乃至１１いずれかに記載の吊掛部を有する鞄を提供する。
請求項１４記載の発明は、前記吊掛部１２、２２、３２、４２は、該吊掛部の表面全体を被覆する滑止部１５が設けられていることを特徴とする請求項１乃至１１いずれかに記載の吊掛部を有する鞄を提供する。【００１１】
請求項１５記載の発明は、前記鞄１、２、３、４の側面下方には、前記吊掛部該吊掛部に吊り掛けられた被吊掛物を下方より支持する支持部１７が設けられていることを特徴とする請求項１乃至１４いずれかに記載の吊掛部を有する鞄を提供する。
これらの発明を提供することによって、上記課題を悉く解決する。
【発明の効果】
【００１２】
請求項１記載の発明によって、吊掛部が長手方向に沿って延出しているので、被吊掛物を吊掛部に吊り掛けて鞄を使用しても、使用者の足と被吊掛物が接触することが無く保持することができるとともに、非使用時にはこの吊掛部を鞄内に収納又はかばんに装着しておくことができる吊掛部を有する鞄を提供することができる。
請求項２記載の発明によって、吊掛部が鞄の長手方向に沿ってスライド操作させることができるので、使用時又は非使用時に合せて吊掛部をスライドさせて延出状態と収納状態と適宜変更させることができる吊掛部を有する鞄を提供することができる。
請求項３記載の発明によって、吊掛部が鞄の上面裏側に設けられることで、容易に鞄へ取り付けることができるとともに、使用時に於いても容易に使用することができる吊掛部を有する鞄を提供することができる。
請求項４記載の発明によって、吊掛部が鞄から延出する長さを適宜調整することができるので、吊掛部に吊り掛ける被吊掛物に応じて吊掛部の長さを好適な且つ利便性の良い長さに調整することができる吊掛部を有する鞄を提供することができる。【００１３】
請求項５記載の発明によって、吊掛部が鞄の側面に装着されて回動可能とされているので、吊掛部を回動させることにより使用時又は非使用時に於いて、吊掛部を適宜使用状態又は収納状態に変更することができる吊掛部を有する鞄を提供することができる。
請求項６記載の発明によって、吊掛部が鞄の上面の裏面に装着されて回動可能とされているので、吊掛部を回動させることにより使用時又は非使用時に於いて、吊掛部を適宜使用状態又は収納状態に変更することができる吊掛部を有する鞄を提供することができる。
請求項７記載の発明によって、吊掛部が固定部を有するので、確実に且つ安定して吊掛部を固定することができる吊掛部を有する鞄を提供することができる。【００１４】
請求項８記載の発明によって、吊掛部が鞄と着脱自在であるので、使用時又は非使用時に於いて、吊掛部を適宜使用状態又は収納状態に変更することができる吊掛部を有する鞄を提供することができる。
請求項９記載の発明によって、吊掛部が上面を挟持することができるので、吊掛部を鞄の上面に確実に且つ安定して取り付けることができる吊掛部を有する鞄を提供することができる。
請求項１０記載の発明によって、挟持部が吊掛部の一端を折り返して形成されているので、挟持部を吊掛部に形成して設けることができる吊掛部を有する鞄を提供することができる。
請求項１１記載の発明によって、吊掛部に切り欠き部を有するので、吊掛部を鞄の上面に確実に且つ安定して取り付けることができる吊掛部を有する鞄を提供することができる。【００１５】
請求項１２乃至１４記載の発明によって、吊掛部に滑止部が設けられるので、吊掛部に吊掛けられる被吊掛物を滑り落ちることなく、安定して吊り掛けることができる吊掛部を有する鞄を提供することができる。
請求項１５記載の発明によって、被吊掛物を下方より支持する支持部が設けられるので、被吊掛物の下方部を固定することができる吊掛部を有する鞄を提供することができる。
【発明を実施するための最良の形態】
【００１６】
本発明を実施するための最良の形態を説明する。
本発明に係る鞄は、所謂直方体形状の鞄を想定しているが、特に限定されるものではなく、例えば、箱形で衣類等を収納する長期旅行用又は整理用のトランク、抱え鞄、書類入れ、ブリーフ・ケース、学生かばん、ボストン・バック、スーツ・ケース、グラッドストンやギャジット・バック等を利用することができる。
尚、本発明中では、鞄の開口部を覆うことで蓋を形成する部分を、上面と定義している。また、被吊掛物とは、本発明に係る吊掛部に吊り掛けることのできる荷物や衣類等の物品を示しており、この吊掛部に吊り掛けて保持することができる物であればあらゆる物全てを指し示す。この被吊掛物は、例えば、背広（やスーツ）、コート等の厚手の防寒着は勿論、可撓性の袋（ビニール製の袋）を示している。【００１７】
本発明に係る鞄の第１実施例を説明する。図１は、第１実施例に係る鞄を示す斜視図であり、（ａ）は吊掛部が延出している状態を示し、（ｂ）は吊掛部が収納されている収納状態を示す。
本発明に係る第１実施例の鞄（１）は、鞄本体（１１）と吊掛部（１２）からなる。
鞄本体（１１）の形状は、上記する如く、利用される鞄によって多種多様であり特に限定されるものではないが、図１で示される鞄本体（１１）は、全体が略直方体形状を有している。この第１実施例の鞄本体（１１）は、背面から延設する上面（１３）で覆うことで、鞄本体（１）の開口部を封止する。【００１８】
第１実施例の吊掛部（１２）は、図１（ａ）に示される如く、使用時に於いて、鞄本体（１１）から鞄本体（１１）の上面（１３）の長手方向に沿って延出されることによって、被吊掛物を吊り掛けることができる。
このように鞄本体（１１）から所定長さを有して延出されているので、この延出された吊掛部（１２）に被吊掛物を吊り掛けることによって、使用者は直接被吊掛物を手又は腕等で保持する必要が無くなる。
この第１実施例に係る吊掛部（１２）は、図１（ｂ）に示される如く、非使用時に於いて、鞄本体（１１）内に収容される。このように非使用時には、鞄本体（１１）内に吊掛部（１２）が収納されるので、非使用時には邪魔になることがない。
尚、吊掛部（１２）の形状は、特に限定されず、細長い棒形状又は板形状に形成されることが好ましい。吊掛部（１２）は、被吊掛物を吊り掛けるので、この被吊掛物の重量に耐え得ることができるだけの強度を有しておくことが必要である。【００１９】
この第１実施例に係る吊掛部（１２）は、図１（ａ）で示す如く、鞄本体（１１）の長手方向端部から長手方向に沿って滑走（スライド）する。このように吊掛部（１２）がスライド操作することができるので、吊掛部（１２）を使用する際には、吊掛部（１２）を鞄本体（１１）からスライドして延出させて使用状態（図１（ａ）参照）とし、吊掛部（１２）を使用しない際には、吊掛部（１２）を鞄本体（１１）内へ収納して収納状態とすることができる。
この第１実施例の吊掛部（１２）は、鞄本体（１１）の上面（１３）の裏面に設けられている（図２参照）。このように鞄本体（１１）の上面（１３）の裏面に取り付けられることによって、吊掛部（１２）を使用しない非使用状態に於いて、吊掛部（１２）を隠蔽することができるからである。【００２０】
この第１実施例に係る吊掛部（１２）は、鞄本体（１１）から延出する吊掛部（１２）の長さを任意に調整して係止する係止部（１４）を有している。
このように係止部（１４）を設けることによって、吊掛部（１２）が鞄本体（１１）から延出される長さ（ｄ）を調整することができるので、被吊掛物に応じて吊掛部（１２）の延出長さ（ｄ）を変更することができる。例えば、背広のように広い幅を有する物を被吊掛物とするのであれば、この広い幅に合せて延出長さ（ｄ）を調整することができる。
また、小売店舗で商品を収容するために使用されるビニール袋を被吊掛物とするのであれば、細い幅となるように延出長さ（ｄ）を短く調整することができる。【００２１】
吊掛部（１２）が有する係止部（１４）は、鞄本体（１）から延出する吊掛部（１２）の長さを所望する長さに調整することができる。この係止部（１４）の長さ調整機構は、特に限定されないが、図３で示す如く、吊掛部（１２）を鞄本体（１１）に固着する固着部（１２ａ）と、この固着部（１２ａ）に沿って滑走する滑走部（１２ｂ）によって形成することができる。
固着部（１２ａ）は、滑走部（１２ｂ）が滑走するための案内部（１２ｃ）と、滑走部（１２ｂ）の凸部（１２ｅ）と係止可能な凹部（１２ｄ）を有しており、固着部（１２ａ）の凹部（１２ｄ）と滑走部（１２ｂ）の凸部（１２ｅ）との嵌合により、固着部（１２ａ）と滑走部（１２ｂ）が係止されることになる。凸部（１２ｄ）と凹部（１２ｅ）は、図３で示される如く、複数設けられることによって、吊掛部（１２）の鞄本体（１１）からの延出長さを調整することができる。
尚、凸部（１２ｄ）と凹部（１２ｅ）は、図３では夫々固着部（１２ａ）と滑走部（１２ｂ）に設けられているが、逆に、凸部（１２ｄ）が滑走部（１２ｂ）に、凹部（１２ｅ）が固着部（１２ａ）に設けられてもよい。
また、凸部（１２ｄ）と凹部（１２ｅ）の大きさや設けられる場所は、特に限定されず、固着部（１２ａ）と滑走部（１２ｂ）を確実に係止することができ、所望する延出する長さに調整することができれば構わない。【００２２】
図４には、上記する固着部と滑走部の他の実施例を示している。
図４で示す固着部と滑走部の他の実施例では、固着部（１２ｆ）、第１滑走部（１２ｇ）と第２滑走部（１２ｈ）が示されており、固着部（１２ｆ）から第１滑走部（１２ｇ）をスライドさせ、次に、第１滑走部（１２ｇ）から第２滑走部（１２ｈ）をスライドさせることができるように、２つの滑走部が採用されている。
このように２つの滑走部を利用することによって、より長い延出長さ（ｄ’）を得ることができる。
図４では、２つの滑走部を利用して延出長さ（ｄ’）を形成したが、この滑走部の数は限定されず、複数の滑走部を多段階構成とすることによってより長い延出長さに調整することができる。【００２３】
係止部の長さ調整機構は、また、螺子式の固定具（図示せず）を利用することもできる。螺子式の固定具を利用する場合には、滑走部（又は吊掛部）を所定長さに延出した後に、螺子を締めることにより固定具で滑走部を固定することになる。【００２４】
吊掛部（１２）は、この吊掛部（１２）に吊り掛けられる被吊掛物が滑ることを防止することができる滑止部（１５）が設けられている。
この滑止部（１５）の素材は、吊掛部（１２）には背広等の衣類を吊り掛けるので、衣類を傷つけない素材が好ましく、例えば、フェルトが利用されることが好ましい。
吊掛部（１２）に設けられる滑止部（１５）の形状は、特に限定されないが、図５で示される如き形状を有して設けられることができる。【００２５】
図５（ａ）で示される滑止部（１５）は、吊掛部（１２）の表面全体を被覆するように設けられている。
図５（ｂ）で示される滑止部（１５）は、吊掛部（１２）の周縁部表面を被覆するように設けられている。この場合の滑止部（１５）は、幅（ｗ）を有して吊掛部（１２）の端部に取り付けられている。この幅（ｗ）の長さは、吊掛部（１２）の幅（Ｗ）の１／２の長さよりも短ければ特に限定されないが、吊掛部（１２）の幅（Ｗ）の１／６〜１／３に設定されることが好ましい。
図５（ｃ）で示される滑止部（１５）は、吊掛部（１２）の隅部（１６）を除く部分の周縁部表面を被覆するように設けられている。この場合、吊掛部（１２）の隅部（１６）は丸みを有するように削り取られている。このように隅部（１６）が丸みを有することによって、安全性を向上させることができる。この隅部（１６）の丸みの形状は、特に限定されず、図５（ｃ）では滑止部（１５）の幅と同じ半径を有する円状に形成されている。
尚、図５（ａ）及び図５（ｂ）で示される吊掛部（１２）の隅部（１６）も図５（ｃ）で示される如き吊掛部（１２）と同様に隅部（１６）を丸みを有するように形成しても構わない。【００２６】
この滑止部（１５）には、多種多様な色彩を有するように設定することもできるし、多種多様な模様を付することもできる。【００２７】
尚、この吊掛部（１２）の延出方向端部には、側面視に於いてコ字状となる折り返し部（図示せず）が設けられ、この折り返し部によって、被吊掛物を挟持することができるように設けられることもできる。【００２８】
本発明に係る鞄（１）は、図６（ａ）に示す如く、鞄本体（１１）の側面下方に於いて支持部（１７）を有している。この支持部（１７）は、吊掛部（１２）に吊り掛けられる被吊掛物の下方から支持することができる。尚、この支持部（１７）が取り付けられる位置は、鞄本体（１１）の側面下方の下端よりも僅かに上方の位置であることが好ましい。
このように支持部（１７）を設けることによって、吊掛部（１２）に被吊掛物（Ａ）を吊り掛けた際に、鞄（１）の下端よりもさらに下方に位置する被吊掛物を持ち上げることができるからである。
この支持部（１７）を利用することにより、被吊掛物（Ａ）を吊掛部（１２）に吊り掛けても、鞄（１）の下端よりも被吊掛物（Ａ）が下方に位置することが無くなり、道路に被吊掛物（Ａ）が接触することを防止することができる（図６（ｂ）参照）。
この支持部（１７）は、被吊掛物を支持することのできる機構を有していれば特に限定されるものではないが、図６（ａ）で示される支持部（１７）は、洗濯ばさみの如く、一対の挟み用個片（１７ａ）とそれを固定するばね（１７ｂ）から構成されることができる。【００２９】
第１実施例に係る鞄（１）の使用について説明する。
使用者は、通常、図１（ｂ）に示される非使用状態で鞄（１）を使用している。
背広を吊掛部（１２）に吊り掛ける場合であれば、鞄（１）内に収納される吊掛部（１２）を引き出して、背広を吊り掛けるに必要な長さに設定する。そして、吊掛部（１２）が所望する長さに設定されると、この吊掛部（１２）に背広を掛けて使用する。
ビニール製の袋を吊掛部（１２）に吊り掛ける場合であれば、鞄（１）内に収納される吊掛部（１２）を引き出して、袋を吊り掛けるに必要な長さに設定する。そして、吊掛部（１２）が所望する長さに設定されると、この吊掛部（１２）に袋を吊り掛けて使用する。【００３０】
次に、第２実施例の鞄（２）について説明する。
図７には、第２実施例の鞄の斜視図が示されており、（ａ）は鞄の使用状態を示しており、（ｂ）は非使用状態を示している。
第２実施例の鞄（２）は、鞄本体（２１）と吊掛部（２２）からなる。
尚、鞄本体（２１）は、第１実施例の鞄本体（１１）と同様であるので説明を省略する。
第２実施例の吊掛部（２２）は、図７（ａ）に示される如く、使用時に於いて、鞄本体（２１）から鞄本体（２１）の上面（２３）の長手方向端部から長手方向に沿って延出されることによって、被吊掛物を吊り掛けることができる。
このように鞄本体（２１）から所定長さを有して延出されているので、この延出された吊掛部（２２）に被吊掛物を吊り掛けることによって、使用者は直接被吊掛物を手又は腕等で保持する必要が無くなる。
この第２実施例に係る吊掛部（２２）は、図７（ｂ）に示される如く、非使用時に於いて、鞄本体（２１）の側面（２４）に当接して、鞄本体（２１）に装着されている。
このように非使用時には、吊掛部（２２）が鞄本体（２１）の側面（２４）に装着されているので、非使用時には邪魔になることがない。
尚、吊掛部（２２）の形状は、特に限定されないが、非使用時には側面（２４）を形成することとなるので、細長い棒形状又は板形状に形成されることが好ましい。吊掛部（２２）は、被吊掛物を吊り掛けるので、この被吊掛物の重量に耐え得ることができるだけの強度を有しておくことが必要である。また、吊掛部（２２）の長さ（ｄ）は、鞄本体（２１）の側面（２４）の長さ（鞄本体（２１）の高さ）よりも短いことが好ましい。【００３１】
この第２実施例に係る吊掛部（２２）は、図８で示す如く、正面視に於いて鞄（２）の上端部且つ左端（又は右端）部で上方に回動するように、軸部（２５）により固定されている。第２実施例の吊掛部（２２）は、この軸部（２５）を中心として回動するが、この吊掛部（２２）は、鞄本体（２１）の上面（２３）と面一となる場所に固定することができる固定部（２６）が設けられている。
この固定部（２６）は、鞄本体（２１）の上面（２３）と吊掛部（２２）が面一となる場所に於いて吊掛部（２２）を固定することができれば、特に限定されず、図７（ａ）及び図８（ａ）では、２つの支持部材（２６ａ、２６ｂ）と軸部（２６ｃ）から構成されている。この固定部（２６）は、上面（２３）と吊掛部（２２）が面一となる場所で、支持部材（２６ａ，２６ｂ）が一直線上に並ぶようにされ、鞄本体（２１）の側面（２４）に近接するに従って、軸部（２６ｃ）を中心に支持部材（２６ａ、２６ｂ）が重なり合うように設けられている。
このように、固定部（２６）を設けることによって、吊掛部（２２）の回動を制御することができるようになる。【００３２】
第２実施例の吊掛部（２２）も、第１実施例に係る吊掛部（１２）と同様に、鞄本体（２１）から延出する吊掛部（２２）の長さを任意に調整して係止する係止部（図示せず）を有していることが好ましい。
このように係止部を設けることによって、吊掛部（２２）が鞄本体（２１）から延出される長さ（ｄ）を調整することができるので、被吊掛物に応じて吊掛部（２２）の延出長さ（ｄ）を変更することができる。
この係止部は、吊掛部（２２）の長さを調整することができる機構を有していれば特に限定されるものではなく、第１実施例の吊掛部（１２）で説明した如き滑走部を利用する機構を採用することができる。
尚、吊掛部（２２）の他の構成は、第１実施例の吊掛部（１１）と同様なので省略する。また、第１実施例の支持部（１７）を第２実施例の鞄（２）に取り付けることもできる。【００３３】
図９には、第２実施例の吊掛部に係る他の実施例を示している。
上記第２実施例に於いて鞄本体（２１）の側面（２４）外側から上面（２３）と面一となる場所までの回動（約９０度回動する）の場合を説明したが、図９に示される実施例の鞄（２’）では、鞄本体（２１’）の側面（２４’）の内側から上面（２３’）と面一となるように回動（約２７０度）させて、吊掛部（２２’）を固定している。
この場合、吊掛部（２２’）の上端部が、鞄本体（２１’）の側面（２４’）の内側上方に軸部（２５’）が設けられ、上方に回動可能にされている。
この実施例の吊掛部（２２’）は、非使用時に於いて、鞄本体（２１’）の側面（２４’）の内面（裏面）に装着されるように設けられている。このように設けられることによって、吊掛部（２２’）の非使用時に於いて、確実に吊掛部（２２’）を隠蔽することができる。
尚、この実施例の鞄（２’）も、上記する如く、吊掛部（２２’）を、上面（２３’）と面一となる位置で固定する固定部（図示せず）を設けておく。【００３４】
図１０には、第２実施例の吊掛部に係る他の実施例を示している。
この図１０の実施例の鞄（２’’）では、吊掛部（２２’’）が、鞄本体（２１’’）の上面（２３’’）の裏面に軸部（２５’’）を介して回動可能とされている。吊掛部（２２’’）は、非使用時に於いて、上面（２３’’）の裏側に装着された状態となり、使用時に於いて、軸部（２５’’）を軸として約１８０度回動させることによって、鞄本体（２１’’）から延出する吊掛部（２２’’）を形成することができる。
尚、この実施例の鞄（２’’）も、上記する如く、吊掛部（２２’’）を、上面（２３’’）と面一となる位置で固定する固定部（図示せず）を設けておく。【００３５】
図１１には、第２実施例の吊掛部に係る他の実施例を示している。
この図１１の実施例の鞄（２’’’）では、吊掛部（２２’’’）が、鞄本体（２１’’’）の上面（２３’’’）の裏面に軸部（２５’’’）を介して、上面（２３’’’）と平行な面内に回動可能とされている。吊掛部（２２’’’）は、非使用時に於いて、上面（２３’’’）の裏側に装着された状態となり、使用時に於いて、軸部（２５’’’）を軸として上面（２３’’’）と平行な面内に約１８０度回動させることによって、鞄本体（２１’’’）から延出する吊掛部（２２’’’）を形成することができる。
この場合、軸部（２５’’’）は、非使用時に於いて吊掛部（２２’’’）を確実に鞄本体（２１’’’）に収納する（上面（２３’’’）の裏面に装着する）ために、吊掛部（２２’’’）の長手方向端部の略中央部に設けられることが好ましい。このように長手方向端部の略中央部に設けられることによって、吊掛部（２２’’’）を確実に鞄本体（２１’’’）内に収納することができるからである。
尚、この実施例の鞄（２’’’）も、上記する如く、吊掛部（２２’’’）を、上面（２３’’’）と面一となる位置で固定する固定部（図示せず）を設ける。【００３６】
第２実施例に係る鞄（２）の使用について説明する。尚、実施例の鞄（２’、２’’、２’’’）は省略する。
使用者は、通常、図７（ｂ）に示される非使用状態で鞄（２）を使用している。または、鞄（２）内部に吊掛部（２２）が収容された状態で使用している。
背広を吊掛部（２２）に吊り掛ける場合であれば、鞄（２）の側面（２４）に当接して装着される又は、鞄（２）内に収納される吊掛部（２２）を回動させて、上面（２３）と面一となるまで回動させる。そして、吊掛部（２２）を上面（２３）と面一となるように回動させた後に係止部を利用して延出長さ（ｄ）を調整し、背広を吊り掛けることのできる長さに調整する。
袋を吊掛部（２２）に吊り掛ける場合であれば、鞄（２）の側面（２４）に当接して装着される又は、鞄（２）内に収納される吊掛部（２２）を回動させて、上面（２３）と面一となるまで回動させる。そして、吊掛部（２２）を上面（２３）と面一となるように回動させた後に係止部を利用して延出長さ（ｄ）を調整し、袋を吊り掛けることのできる長さに調整する。【００３７】
第３実施例の鞄（３）について説明する。
第３実施例の鞄（３）は、図１２には、第３実施例の鞄の斜視図が示されており、（ａ）は鞄の使用状態を示しており、（ｂ）は第３実施例に於ける吊掛部の側面図を示している。
第３実施例の鞄（３）は、鞄本体（３１）と吊掛部（３２）からなる。
尚、鞄本体（３１）は、第１実施例の鞄本体（１１）と同様であるので説明を省略する。
第３実施例の吊掛部（３２）は、鞄本体（３１）から取外して、鞄本体（３１）内に収納することができる。また、この鞄本体（３１）に取り付けて固定することのできる固定機構を有している。この固定機構は、特に限定されないが、後述する挟持部や第４実施例で説明する切り欠き部を採用することができる。
この吊掛部（３２）は、図１２（ｂ）で示す如く、鞄本体（３１）の上面（３３）を挟持する挟持部（３４）を有している。この挟持部（３４）は、吊掛部（３２）から該吊掛部（３２）の長さ方向に沿って略平行に延出する部材（３４ａ）を設けることによって、吊掛部（３２）とこの部材（３４ａ）との空間内に鞄本体（３１）の上面（３３）を挟み込むように設けられている。
この吊掛部（３２）と部材（３４ａ）との間に形成される空間は、吊掛部（３２）の端部に近づくに従って、高さ（ｈ）が短くなるように設けられることが好ましい。このように空間が小さくなるように部材（３４ａ）が設けられることによって、確実に吊掛部（３２）を上面（３３）へ挟持させることができるからである。
尚、この吊掛部（３２）の長さ（ｌ）は、鞄本体（３１）内に収納することができる長さであれば特に限定されないが、この鞄本体（３１）の正面視に於ける対角線の長さよりも僅かに短くなるように形成されることが最も好ましい。このように形成されることによって、最も長い長さを有して吊掛部（３２）を形成することができるからである。【００３８】
上記する部材（３４）は、吊掛部（３２）に沿って滑走させることができるように設けることが好ましい。
このように部材（３４）が吊掛部（３２）に沿って滑走することができるように設けられることによって、鞄本体（３１）の上面（３３）を挟持する部分を調整することができ、吊掛部（３２）の鞄本体（３１）から延出される延出長さを調整することができるからである。【００３９】
この第３実施例に係る吊掛部（３２）は、非使用時に於いて、鞄本体（３１）内部に収納されるので、非使用時には、吊掛部（３２）が邪魔になることがない。
この吊掛部（３２）の他の構成は、上記する第１実施例及び第２実施例の吊掛部（３２）と同様である。【００４０】
この第３実施例に係る吊掛部（３２）は、図１２（ｃ）で示される如く、吊掛部の一端を折り返して挟持部（３４’）を形成するように作成することもできる。
この場合、鞄本体（３１）の上面（３３）の他方側（図１２で示される挟持部（３４）が取り付けられる側とは反対側）で、吊掛部（３２’）は上面（３３）を挟持することになる。この挟持部（３４’）は、上面（３３）を挟持するので、挟持部（３４）で説明した如く、挟持部（３４’）によって形成される空間の高さが吊掛部（３２’）の中央方向に従って低くなるように設けられていることが好ましい。
尚、この場合、挟持部（３４’）が取り付けられる上面（３３）側とは逆側に吊掛部（３２’）の延出長さが形成されることになる。【００４１】
第３実施例に係る鞄（３）の使用について説明する。
使用者は、通常、吊掛部（３２）を鞄（３）内に収納した非使用状態で鞄（３）を使用している。
背広を吊掛部（３２）に吊り掛ける場合であれば、鞄（３）内から収納される吊掛部（３２）を取り出して、上面（３３）に挟持部（３４）で挟持する。そして、吊掛部（３２）を上面（３３）と挟持させる部分をこの挟持部（３４）を滑走させて調整し、背広を吊り掛けることのできる長さに調整する。
袋を吊掛部（３２）に吊り掛ける場合であれば、鞄（３）内から収納される吊掛部（３２）を取り出して、上面（３３）に挟持部（３４）で挟持する。そして、吊掛部（３２）を上面（３３）と挟持させる部分をこの挟持部（３４）を滑走させて調整し、袋を吊り掛けることのできる長さに調整する。
尚、吊掛部（３２’）を使用する場合も、挟持部（３４’）で挟持させる場所が異なるだけで上記と同様に使用することができる。【００４２】
第４実施例の鞄（４）について説明する。
この第４実施例の鞄（４）は、鞄本体（４１）と吊掛部（４２）からなるが、鞄本体（４１）と吊掛部（４２）の基本的構成は同じであるので、異なる構成のみを説明する。
図１３は、第４実施例の鞄を示す斜視図であり、（ａ）は第４実施例の鞄の使用状態を示し、（ｂ）は第４実施例の吊掛部の一実施例を示す平面図である。
この第４実施例の吊掛部（４２）は、図１３（ｂ）で示す如く、固定機構として複数の切り欠き部（４５）を有している。これらの切り欠き部（４５）は、鞄本体（４１）の把手部（４４）を嵌合することのできる形状を有しており、把手部（４４）を切り欠き部（４５）内に収容することによって、鞄本体（４１）の上面（４３）に載置することができる。
これらの切り欠き部（４５）は、図１３（ｂ）で示される如く、所定間隔で形成されており、この所定間隔は特に限定されないが、いずれか二つの切り欠き部（４５）を選択した場合に、把手部（４４）と同じ幅を有することができるように設定されている（例えば、図１２（ａ）では右端の切り欠き部（４５）と右から３番目の切り欠き部（４５）で把手部（４４）と同じ幅を形成している）。
このように複数の切り欠き部（４５）を設けることによって、鞄本体（４１）から延出する延出長さを調整することができる。尚、このように複数の切り欠き部（４５）が設けられた場合には、平面視に於いて上面（４３）内に吊掛部（４２）が収納されるように、把手部（４４）を収容する切り欠き部（４５）を選択することができる。
尚、第４実施例の吊掛部（４２）が上面（４３）に載置された際には、把手部（４４）の近傍に設けられる取付部（図示せず）によって、吊掛部（４２）が取り付けられる。この取付部は、螺子を採用することもできるし、吊掛部（４２）を上面（４３）と挟持するようにスライドさせて挟み込むようにすることもできる。【００４３】
第４実施例に係る鞄（４）の使用について説明する。
使用者は、通常、吊掛部（４２）を平面視において、鞄（４）の上面（４３）内に収容した非使用状態で鞄（４）を使用している。
背広を吊掛部（４２）に吊り掛ける場合であれば、吊掛部（４２）が把手部（４４）を収容する切り欠き部（４５）を変更させて、背広を吊り掛けることのできる長さに調整し、把手部（４４）を収容する。そして、吊掛部（４２）を取付部で固定して、背広を吊掛部（４２）へ吊り掛ける。
袋を吊掛部（４２）に吊り掛ける場合であれば、吊掛部（４２）が把手部（４４）を収容する切り欠き部（４５）を変更させて、袋を吊り掛けることのできる長さに調整し、把手部（４４）を収容する。そして、吊掛部（４２）を取付部で固定して、背広を吊掛部（４２）へ吊り掛ける。
尚、本発明に係る鞄は、第１乃至第５実施例を説明したが、各鞄（１，２，２’、２’’、２’’’、３，４）とも、支持部を設けたり、滑止部（１５）を設けたり、吊掛部をスライドさせたりする機構を設けることができる。
以上が本発明に係る吊掛部を有する鞄の説明である。
【図面の簡単な説明】
【００４４】
【図１】第１実施例に係る鞄を示す斜視図であり、（ａ）は吊掛部が延出している状態を示し、（ｂ）は吊掛部が収納される収納状態を示す。
【図２】本発明に係る鞄の開状態に於ける正面図である
【図３】吊掛部の係止部の一実施形態を示す平面図である。
【図４】固着部と滑走部の他の実施例を示している。
【図５】吊掛部に設けられる滑止部の実施例であり、（ａ）乃至（ｃ）は滑止部が設けられる一実施例を示している。
【図６】支持部が設けられた一実施例を示し、（ａ）は正面図を示し、（ｂ）はその使用状態を示す。
【図７】第２実施例に係る鞄を示す斜視図であり、（ａ）は吊掛部が延出している状態を示し、（ｂ）は吊掛部が収納される収納状態を示す。
【図８】第２実施例の鞄を示す正面図である。
【図９】第２実施例の鞄の他の実施例を示す正面図である。
【図１０】第２実施例の鞄の他の実施例を示す正面図である。
【図１１】第２実施例の鞄の他の実施例を示す正面図である。
【図１２】第３実施例の鞄の斜視図が示されており、（ａ）は鞄の使用状態を示しており、（ｂ）は第３実施例に於ける吊掛部の側面図を示し、（ｃ）は第３実施例に於ける吊掛部の他の実施例の側面図を示している。
【図１３】（ａ）は第４実施例の鞄の斜視図を示し、（ｂ）は第４実施例の吊掛部を示している。
【符号の説明】
【００４５】
１・・・・第１実施例の鞄
１１・・・鞄本体
１２・・・吊掛部
１３・・・上面
１４・・・係止部
１５・・・滑止部
１７・・・支持部
２・・・・第２実施例の鞄
２１・・・鞄本体
２２・・・吊掛部
２３・・・上面
２’・・・第２実施例の鞄
２１’・・鞄本体
２２’・・吊掛部
２３’・・上面
２’’・・・第２実施例の鞄
２１’’・・鞄本体
２２’’・・吊掛部
２３’’・・上面
２’’’・・第２実施例の鞄
２１’’’・・鞄本体
２２’’’・・吊掛部
２３’’’・・上面
３・・・第３実施例の鞄
３１・・鞄本体
３２・・吊掛部
３３・・上面
３４・・挟持部
４・・・第４実施例の鞄
４１・・鞄本体
４２・・吊掛部
４３・・上面
４４・・把手部
４５・・切り欠き部
【図１】
2006051605.tif 000002
【図２】
2006051605.tif 000003
【図３】
2006051605.tif 000004
【図４】
2006051605.tif 000005
【図５】
2006051605.tif 000006
【図６】
2006051605.tif 000007
【図７】
2006051605.tif 000008
【図８】
2006051605.tif 000009
【図９】
2006051605.tif 000010
【図１０】
2006051605.tif 000011
【図１１】
2006051605.tif 000012
【図１２】
2006051605.tif 000013
【図１３】
2006051605.tif 000014
【手続補正書】
【提出日】平成18年1月12日(2006.1.12)
【手続補正１】
【補正対象書類名】特許請求の範囲
【補正対象項目名】請求の範囲
【補正方法】変更
【補正の内容】
【書類名】請求の範囲
【請求項１】（補正後）  衣類等の物品を吊り掛けるための吊掛部１２を有する鞄であって、前記吊掛部１２は、前記鞄１１内に収納され、使用時に於いて前記鞄上面１３の長手方向端部の一方から該長手方向に沿うスライド操作によって前記端部から延出することを特徴とする吊掛部を有する鞄。
【請求項２】（補正後）  前記吊掛部１２が、前記鞄１１の前記上面１３の裏側に設けられていることを特徴とする請求の範囲第１項記載の吊掛部を有する鞄。
【請求項３】（補正後）  前記吊掛部１２が、前記鞄１１からの延出長さを任意に調整して係止する係止部１４を有することを特徴とする請求の範囲第１項又は第２項記載の吊掛部を有する鞄。
【請求項４】（補正後）  衣類等の物品を吊り掛けるための吊掛部２２’を有する鞄であって、前記吊掛部２２’が、前記鞄２１’の側面２４’の裏面側に装着され、使用時において前記鞄上面２３’の長手方向端部の一方から該長手方向に沿って延出可能とされており、前記吊掛部２２’の長さｄは、前記鞄２１’の側面２４’の長さよりも短く形成され、前記吊掛部２２’が、前記吊掛部２２’の上端部を支点として上方に回動可能とされており、前記吊掛部２２’が、前記鞄の上面と面一となる位置で固定される固定部が設けられていることを特徴とする吊掛部を有する鞄。
【請求項５】（補正後）  衣類等の物品を吊り掛けるための吊掛部２２”を有する鞄であって、前記吊掛部”が、前記鞄２１”の上面の裏面側に装着され、使用時において前記鞄２３”の長手方向端部から該長手方向に沿って延出可能とされており、前記吊掛部２２”が、前記上面と直角であり且つ前記長手方向と平行な面内に、回動可能に軸着されていることを特徴とする吊掛部を有する鞄。
【請求項６】（補正後）  衣類等の物品を吊り掛けるための吊掛部２２”’を有する鞄であって、前記吊掛部２２”’が、前記鞄２１”’の上面の裏側に装着され、使用時において前記鞄上面２３”’の長手方向端部から該長手方向に沿って延出可能とされており、前記吊掛部２２”’が、前記上面と平行な面内に回動可能に軸着されていることを特徴とする吊掛部を有する鞄。
【請求項７】（補正後）  前記吊掛部２２”、２２”’が、前記鞄の上面と面一となる位置で固定される固定部が設けられていることを特徴とする請求の範囲第５項又は第６項に記載の吊掛部を有する鞄。
【請求項８】（補正後）  衣類等の物品を吊り掛けるための吊掛部３２，４２を有する鞄であって、前記吊掛部３２，４２は、前記鞄３１，４１内に収容されるとともに、使用時において前記鞄上面３３，４３の長手方向端部の一方から該長手方向に沿って延出可能とされており、前記吊掛部３２，４２が、前記鞄３１，４１と着脱自在であり、該鞄の上面３３，４３と固定される固定機構を有していることを特徴とする吊掛部を有する鞄。
【請求項９】（補正後）  前記吊掛部３２の固定機構が、前記鞄３１の上面３３を挟持するための挟持部３４であることを特徴とする請求の範囲第８項記載の吊掛部を有する鞄。
【請求項１０】（補正後）  前記挟持部３４が、前記吊掛部３２の一端を折り返して形成されていることを特徴とする請求の範囲第９項記載の吊掛部を有する鞄。
【請求項１１】（補正後）  前記吊掛部４２の固定機構が、前記鞄４１の把手部４４を嵌合するための切り欠き部４５を有することを特徴とすることを特徴とする請求の範囲第８項記載の吊掛部を有する鞄。
【請求項１２】（補正後）  前記吊掛部１２、２２、２２”、２２”’、３２、４２が、該吊掛部の周縁部を被覆する滑止部１５を備えることを特徴とする請求の範囲第１項乃至第１１項いずれかに記載の吊掛部を有する鞄。
【請求項１３】（補正後）  前記吊掛部１２、２２、２２”、２２”’、３２、４２の各隅部１６が湾曲して形成され、前記吊掛部１２、２２、２２”、２２”’、３２、４２が、前記隅部１６を除く該吊掛部の周縁部を被覆する滑止部１５を備えることを特徴とする請求の範囲第１項乃至第１１項いずれかに記載の吊掛部を有する鞄。
【請求項１４】（補正後）  前記吊掛部１２、２２、２２”、２２”’、３２、４２が、該吊掛部の表面全体を被覆する滑止部１５を備えることを特徴とする請求の範囲第１項乃至第１１項いずれかに記載の吊掛部を有する鞄。
【請求項１５】（補正後）  前記鞄１、２、２”、２”’、３、４の側面下方には、前記吊掛部に吊り掛けられた被吊掛物を下方より支持する支持部１７が設けられていることを特徴とする請求の範囲第１項乃至第１４項いずれかに記載の吊掛部を有する鞄。
２３
【国際調査報告】
2006051605.tif 000015
2006051605.tif 000016
2006051605.tif 000017
2006051605.tif 000018